(57)【要約】【課題】通話時に携帯電話機を閉じる際にハウリングが発生するのを防止すること、内蔵アンテナの実装スペースを十分に確保すること等が可能な折り畳み型携帯電話機の提供。【解決手段】  通話時の受話音は、操作部側筐体１０の側面に設けたインターフェースカバー１３の開口部１３ａの奥に設けてあるマイク受音孔入り口１１ｇから入り、フロント筐体１１の側面１１ｆとマイク設置面１１ｄとを結ぶように曲げられたマイク受音孔１１ｅを通りマイク１４に達する。一方、表示部側筐体２０のフロント筐体２１の表示面２１ａにレシーバ発音孔２１ｂが設けられている。【選択図】      図５
2007194757.tif 000002
【特許請求の範囲】
【請求項１】
ヒンジ部を介して操作部側筐体と表示部側筐体とが回動自在に接続される折り畳み型携帯電話機であって、
前記操作部側筐体の側面に設けられるマイク受音孔入口と、前記表示部側筐体の表示面に設けられるレシーバ発音孔とを含むことを特徴とする折り畳み型携帯電話機。
【請求項２】
前記操作部側筐体および前記表示部側筐体の各々は、フロント筐体およびリア筐体を組み合わせてなり、前記操作部側筐体および前記表示部側筐体を折り畳んだ際、前記フロント筐体同士が対面するよう構成され、
マイクの一方の面は前記操作部側筐体の前記フロント筐体に設けたマイク実装部に保持され、前記マイク実装部に前記マイク受音孔入口に通じるマイク受音孔が設けられることを特徴とする請求項１記載の折り畳み型携帯電話機。
【請求項３】
前記操作部側筐体および前記表示部側筐体の各々は、フロント筐体およびリア筐体を組み合わせてなり、前記操作部側筐体および前記表示部側筐体を折り畳んだ際、前記フロント筐体同士が対面するよう構成され、
マイクの一方の面は前記操作部側筐体の前記フロント筐体に保持されるマイク保持フレームに保持され、前記マイク保持フレームに前記マイク受音孔入口に通じるマイク受音孔が設けられることを特徴とする請求項１記載の折り畳み型携帯電話機。
【請求項４】
前記フロント筐体と前記マイク保持フレームとの間にアンテナが設けられることを特徴とする請求項３記載の折り畳み型携帯電話機。
【請求項５】
前記操作部側筐体のフロント筐体およびリア筐体との間にプリント基板が設けられ、前記プリント基板により前記マイクの他方の面が保持され、前記プリント基板と前記操作部側筐体のリア筐体との間にインターフェース押えリブを介してインターフェースコネクタが設けられ、前記フロント筐体およびリア筐体の側面に前記インターフェースコネクタの前面を覆う着脱自在のインターフェースカバーが設けられることを特徴とする請求項２から４いずれかに記載の折り畳み型携帯電話機。
【請求項６】
前記インターフェースカバーに前記マイク受音孔入口に相当する開口部が設けられることを特徴とする請求項５記載の折り畳み型携帯電話機。
【請求項７】
前記フロント筐体およびリア筐体の側面に前記インターフェースカバーとともにスイッチが設けられることを特徴とする請求項５または６記載の折り畳み型携帯電話機。
【請求項８】
前記インターフェースカバーおよびスイッチは前記操作部側筐体のフロント筐体およびリア筐体の表面とは感触が異なる材料で構成されることを特徴とする請求項５から７いずれかに記載の折り畳み型携帯電話機。
【請求項９】
前記フロント筐体およびリア筐体の側面と前記スイッチとの間に隙間が設けられ、その隙間が前記マイク受音孔入口に相当することを特徴とする請求項７または８記載の折り畳み型携帯電話機。
【発明の詳細な説明】
【技術分野】
【０００１】
本発明は、折り畳み型携帯電話機に関し、特に折り畳み型携帯電話機のマイク実装構造に関する。
【背景技術】
【０００２】
図１３は従来の折り畳み型携帯電話機の一例の部分断面図、図１４は操作部側筐体の分解斜視図である。図１３には便宜上本発明に関連するマイク実装部分周辺の構造のみが表示されている。他の部分の構成は従来の折り畳み型携帯電話機と同様である。
【０００３】
図１３を参照すると、従来の折り畳み型携帯電話機の一例は、ヒンジ部５９を介して操作部側筐体５０と表示部側筐体６０とが回動自在に接続されている。
【０００４】
操作部側筐体５０はフロント筐体５１とリア筐体５２とを組み合わせてなり、リア筐体５２の左側端部にインターフェースコネクタ５６が設けられ、インターフェースコネクタ５６の上にプリント基板５５が設けられ、プリント基板５５の上にマイク５４が設けられ、マイク５４はフロント筐体５１によって固定支持される構成となっている。また、インターフェースコネクタ５６の前面は着脱可能なインターフェースカバー５３で保護される。さらに、フロント筐体５１のマイク５４の位置に対応する部分にマイク受音孔５１ｇが設けられている。
【０００５】
一方、表示部側筐体６０はフロント筐体６１とリア筐体６２とを組み合わせてなり、フロント筐体６１の左側端部にレシーバ６４が設けられ、レシーバ６４の上にプリント基板６３が設けられる構成となっている。また、フロント筐体６１のレシーバ６４の位置に対応する部分にレシーバ発音孔６１ｂが設けられている。
【０００６】
また、操作部側筐体５０と表示部側筐体６０とを閉じたとき、マイク受音孔５１ｇとレシーバ発音孔６１ｂとが向かい合って隣接する配置となる。
【０００７】
すなわち、従来の折り畳み型携帯電話機では、操作部側筐体５０の表示部側筐体６０の対面にマイク受音孔５１ｇを配置しており、表示部側筐体６０の操作部側筐体５０の対面にはレシーバ発音孔６１ｂを配置しており、レシーバ６４、マイク５４共に使用者の利き手に影響されないように、携帯電話機の中心に配置し、また、通話時のレシーバ６４とマイク５４のハウリングを回避するため、レシーバ発音孔６１ｂとマイク受音孔５１ｇは離れていた方が良いため、レシーバ発音孔６１ｂとマイク受音孔５１ｇは操作部側筐体５０と表示部側筐体６０のヒンジ部５９からより遠い位置に配置されている。
【０００８】
次に、図１４を参照すると、内蔵アンテナ５８によってフロント筐体５１上のマイク受音孔５１ｇが塞がれるのを防止するために、内蔵アンテナ５８にＵ字形状の切り欠き部５８ａが設けられている。
【０００９】
一方、マイクの集音口を携帯電話機の下側筐体の側面に設けたものが知られている（たとえば、特許文献１参照）。
【００１０】
また、送話孔と接話孔の２つの孔を備え、送話孔を本体の上ケース上に設け、接話孔を本体の下ケースの側面に設けた携帯電話機が知られている（たとえば、特許文献２参照）。
【００１１】
【特許文献１】特開２００４−１８６８５７号公報（段落０００７、図１）
【特許文献２】特開平９−０８３６２３号公報（段落００１０、図１および図２）
【発明の開示】
【発明が解決しようとする課題】
【００１２】
しかし、従来の折り畳み型携帯電話機は、マイク受音孔５１ｇとレシーバ発音孔６１ｂとが向かい合って隣接する配置となっているため、通話時に携帯電話機を閉じる際に、ハウリングが発生しやすいという課題があった。
【００１３】
また、携帯電話機におけるマイク実装位置は、筐体の端部に位置しており、本位置は内蔵アンテナ等を実装するのに最適な位置と重複しているため、内蔵アンテナ等とマイクを隣接させる場合、実装制約が多く（たとえば、内蔵アンテナ５８に切り欠き部５８ａを設けなければならない）、実装スペースが十分に確保できないという課題があった。
【００１４】
また、携帯電話機の意匠面となる操作部面にマイク受音孔５１ｇが設置されているので、マイク受音孔５１ｇを考慮したデザインを施す必要があり、デザインを制約されるという課題があった。
【００１５】
一方、特許文献１記載の携帯電話機では、携帯電話機の下側筐体の側面にはマイクの集音口しか設けられておらず、したがって、使用者はマイクの集音口の存在に気づかずその集音口を指で無意識に塞いでしまうおそれがある。
【００１６】
これに対し、本発明では後述するが、マイクの受音孔がインターフェースコネクタおよびスイッチ（一例としてサイドボタン）等の機能部に隣接して設けられており、インターフェースカバーおよびスイッチ等の感触が操作部筐体の感触と異なる小型の別部品で構成されているため、使用者が指で受音孔を無意識に塞ぐのを防止できるという特許文献１記載の携帯電話機にはない効果を奏する。
【００１７】
また、特許文献２記載の携帯電話機は送話孔と接話孔の２つの孔が必要であるのに対し、本発明に係る携帯電話機は受音孔のみが必要な構成であり、したがって特許文献２記載の携帯電話機はその構成およびその構成から得られる効果が本発明と全く相違する別発明である。
【００１８】
そこで本発明の目的は、通話時に携帯電話機を閉じる際にハウリングが発生するのを防止すること、内蔵アンテナの実装スペースを十分に確保すること、操作部のデザインの自由度を増加させること、および使用者が指で受音孔を無意識に塞ぐのを防止することが可能な折り畳み型携帯電話機を提供することにある。
【課題を解決するための手段】
【００１９】
前記課題を解決するために本発明による折り畳み型携帯電話機は、ヒンジ部を介して操作部側筐体と表示部側筐体とが回動自在に接続される折り畳み型携帯電話機であって、前記操作部側筐体の側面に設けられるマイク受音孔入口と、前記表示部側筐体の表示面に設けられるレシーバ発音孔とを含むことを特徴とする。
【００２０】
ここで本発明の作用を述べる。折り畳み型携帯電話機のマイク実装構造において、ヒンジ部を介し表示側と操作部側とに分かれている折り畳み型携帯電話機で、操作部側筐体の操作部面内側に、操作部面に向かって垂直から平行向きに受音孔が曲げられているマイク保持部が設置されており、そのマイク保持部に操作部面に向かって垂直に受音するようにマイクが実装され、このマイク保持部の受音孔の入り口を筐体側面に設けることにより、レシーバの発音孔とマイクの受音孔が離れ、通話時、携帯電話機を折りたたんだ際に通話相手に対するハウリングを防止し、かつ、操作部面のデザインの自由度を増加させることを可能とする。
【００２１】
また、操作部側筐体の操作部面内側にマイク保持フレームを設置し、操作部側筐体の操作部面内側とマイク保持フレームとの間にアンテナ等の部品を実装することを可能とする。
【００２２】
また、筐体側面に設けたマイクの音孔をインターフェース部およびスイッチ等の隙間に設けることにより、デザインの自由度を増加させることを可能とする。
【００２３】
さらに、インターフェースカバーおよびスイッチ（一例としてサイドボタン）等はリア筐体およびフロント筐体の表面とは感触が異なる部品で構成されているため、使用者は指でリア筐体およびフロント筐体に接触することによりインターフェースカバーおよびスイッチ等の位置の確認が可能である。したがって、使用者がインターフェースカバーに隣接して設けた開口部を無意識に塞ぐのを防止することが可能となる。
【発明の効果】
【００２４】
本発明によれば、上記構成を含むことにより、通話時に携帯電話機を閉じる際にハウリングが発生するのを防止すること、内蔵アンテナの実装スペースを十分に確保すること、操作部のデザインの自由度を増加させること、および使用者が指で受音孔を無意識に塞ぐのを防止することが可能となる。
【発明を実施するための最良の形態】
【００２５】
以下、本発明の実施の形態について添付図面を参照しながら説明する。
【実施例１】
【００２６】
まず、本発明の第１実施例について説明する。図１は本発明に係る折り畳み型携帯電話機の操作部側筐体の第１実施例の斜視図である。
【００２７】
操作部側筐体１０はフロント筐体１１と、リア筐体１２とを含んで構成され、ヒンジ部１７により後述する表示部側筐体２０と回動自在に接続される。
【００２８】
図１（ａ）は操作部側筐体１０をフロント筐体１１側から眺めた斜視図である。操作部側筐体１０のフロント筐体１１の操作部面１１ａには、操作部１１ｂのみが設けられている。フロント筐体１１とリア筐体１２の側面には、インターフェース部の蓋であるインターフェースカバー１３が設置されており、インターフェースカバー１３には開口部１３ａが設けられている。
【００２９】
図１（ｂ）は、図１（ａ）の操作部側筐体１０を裏返した斜視図である。リア筐体１２の正面１２ａには、インターフェース部の両端に当たる箇所にネジ受け部１２ｂが設けられており、ネジによりフロント筐体１１と締結している。
【００３０】
図２は、図１（ｂ）に示す操作部側筐体１０の分解斜視図である。図２（ａ）を参照するとリア筐体１２が表示されている。図２（ｂ）を参照するとプリント基板１５と、プリント基板１５上に設けられたインターフェースコネクタ１６と、インターフェースカバー１３とが表示されている。インターフェースカバー１３はリア筐体１２およびフロント筐体１１の側面に嵌め込まれ、インターフェースコネクタ１６の開口部を保護する。
【００３１】
また、リア筐体１２およびフロント筐体１１の側面のインターフェースカバー１３の両側または一方の側には図示しないスイッチ（一例としてサイドボタン）等が設けられる。インターフェースカバー１３およびスイッチ等はリア筐体１２およびフロント筐体１１の表面とは感触が異なる部品で構成されているため、使用者は指でリア筐体１２およびフロント筐体１１を接触することによりインターフェースカバー１３およびスイッチ等の位置を認識することが可能である。
【００３２】
図２（ｃ）を参照するとフロント筐体１１が表示されている。フロント筐体１１にはマイク受音孔入口１１ｇがマイク実装部１１ｃに設けられている。
【００３３】
図３は、図１（ｂ）のＡ−Ａ断面分解斜視図である。図３（ａ）を参照すると、リア筐体１２が表示されている。図３（ｂ）を参照すると、プリント基板１５と、プリント基板１５上に設けられたインターフェースコネクタ１６と、インターフェースカバー１３とが表示されている。
【００３４】
図３（ｃ）を参照すると、フロント筐体１１が表示されている。フロント筐体１１には、マイク実装部１１ｃが設けられており、マイク実装部１１ｃの奥にはマイク設置面１１ｄが設けてあり、マイク受音孔１１ｅがマイク設置面１１ｄからフロント筐体１１の側面１１ｆに向かって開けられており、フロント筐体１１の側面１１ｆにマイク受音孔入口１１ｇが設けられている。
【００３５】
図４は、図１（ｂ）のＡ−Ａ断面分解斜視図である。図４を参照すると、フロント筐体１１とリア筐体１２との間にプリント基板１５が設けられている。また、フロント筐体１１にマイク実装部１１ｃが設けられ、マイク実装部１１ｃにマイク１４が実装されている。また、プリント基板１５にはインターフェースコネクタ１６が設けられ、その前面にインターフェースカバー１３が設けられている。
【００３６】
図５は、図１（ｂ）のＡ−Ａ断面図である。図５を参照すると、ヒンジ部１７を介して操作部側筐体１０と表示部側筐体２０とが折り畳まれている。
【００３７】
操作部側筐体１０のフロント筐体１１のマイク実装部１１ｃにはマイク１４が実装され、その後にプリント基板１５がフロント筐体１１に実装され、マイク１４はフロント筐体１１とプリント基板１５とに挟み込まれ、フロント筐体１１のマイク実装部１１ｃの奥のマイク設置面１１ｄに密着する。通話時の受話音は、インターフェースカバー１３の開口部１３ａの奥に設けてあるマイク受音孔入り口１１ｇから入り、フロント筐体１１の側面１１ｆとマイク設置面１１ｄとを結ぶように曲げられたマイク受音孔１１ｅを通りマイク１４に達する。
【００３８】
表示部側筐体２０は、フロント筐体２１とリア筐体２２で構成されており、表示部側筐体２０のフロント筐体２１の表示面２１ａには、レシーバ発音孔２１ｂが設けられている。レシーバ２４は、表示部筐体２０内で、フロント筐体２１とプリント基板２３とに挟み込まれ、フロント筐体内側面と密着している。携帯電話機を折り畳んだ状態で、表示部側筐体２０のフロント筐体２１に設けられたレシーバ発音孔２１ｂの対面に当たる操作部側筐体１０の面には、マイク受音孔は無い。なお、プリント基板１５およびプリント基板２３は、それぞれの筐体内で確実に固定されている。
【００３９】
図６は、図１（ｂ）のＢ−Ｂ断面図である。図６を参照すると、操作部側筐体１０が表示されている。操作部側筐体１０は、フロント筐体１１とリア筐体１２がフロント筐体１１のネジボス１１ｈとリア筐体のネジ受け部１２ｂで図示しないネジにより締結している。本実施例では、ネジ締結としているが、嵌合爪等による他の固定方法でも良い。マイク１４は、受音孔面はフロント筐体１１と、端子接触面はプリント基板１５とプリント基板１５に搭載されているインターフェースコネクタ１６およびリア筐体１２のインターフェース押えリブ１２ｃを介してリア筐体１２とで挟み込まれている。
【００４０】
以上説明したように、本発明の第１実施例によれば、携帯電話機においてマイクの受音孔を側面に配置することで、レシーバの発音孔と離れるため、ハウリングの防止効果が得られる。
【００４１】
また、操作部面にマイクの受音孔を無くすことで、操作部のデザイン自由度を増加させることが可能となる。
【００４２】
また、マイクの受音孔を側面に配置し、受音孔をインターフェースの開口部、隙間およびスイッチ等の隙間と併用することで、側面のデザインの自由度を増すことが可能となる。
【００４３】
さらに、インターフェースカバー１３およびスイッチ（一例としてサイドボタン）等はリア筐体１２およびフロント筐体１１の表面とは感触が異なる部品で構成されているため、使用者は指でリア筐体１２およびフロント筐体１１に接触することによりインターフェースカバー１３およびスイッチ等の位置の確認が可能である。したがって、使用者がインターフェースカバー１３に隣接して設けた開口部１３ａを無意識に塞ぐのを防止することが可能となる。
【実施例２】
【００４４】
次に本発明の第２実施例について説明する。本実施例は、第１実施例に対し、フロント筐体のマイク実装部を削減し、マイク保持フレームで構成されている点が異なる。
【００４５】
図７は本発明に係る折り畳み型携帯電話機の操作部側筐体の第２実施例の斜視図である。
【００４６】
図７（ａ）は、本発明の携帯電話機の操作部側筐体３０をフロント筐体３１側から眺めた斜視図である。操作部側筐体３０のフロント筐体３１の操作部面３１ａには、操作部３１ｂのみが設けられている。フロント筐体３１とリア筐体３２の側面には、インターフェース部の蓋であるインターフェースカバー３３が設置されており、インターフェースカバー３３には開口部３３ａが設けられている。
【００４７】
図７（ｂ）は、図７（ａ）の操作部側筐体３０を裏返した斜視図である。リア筐体３２の正面３２ａには、インターフェース部の両端に当たる箇所にネジ受け部３２ｂが設けられており、ネジによりフロント筐体３１と締結している。
【００４８】
図８は、図７（ｂ）に示す操作部側筐体３０の分解斜視図である。図８（ａ）を参照するとリア筐体３２が表示されている。図８（ｂ）を参照するとプリント基板３５と、プリント基板３５上に設けられたインターフェースコネクタ３６と、インターフェースカバー３３とが表示されている。インターフェースカバー３３はリア筐体３２およびフロント筐体３１の側面に嵌め込まれ、インターフェースコネクタ３６の開口部を保護する。
【００４９】
図８（ｃ）を参照するとフロント筐体３１が表示されている。フロント筐体１１には内蔵アンテナ３８を介してマイク保持フレーム３７が設けられ、マイク保持フレーム３７にマイク３４が保持される。
【００５０】
図９は、図７（ｂ）のＣ−Ｃ断面分解斜視図である。図９（ａ）を参照すると、リア筐体３２が表示されている。図９（ｂ）を参照すると、プリント基板３５と、プリント基板３５上に設けられたインターフェースコネクタ３６と、インターフェースカバー３３とが表示されている。
【００５１】
図９（ｃ）を参照すると、フロント筐体３１には、マイク保持フレーム３７を保持するための保持爪３１ｊが左右に設けられており、マイク保持フレーム３７はフロント筐体の側面３１ｆ、保持爪３１ｊ、リブ３１ｋにて位置決めされる。
【００５２】
また、フロント筐体３１とマイク保持フレーム３７との間には内蔵アンテナ３８が実装されており、固定は、フロント筐体３１と接着でも、フロント筐体３１とマイク保持フレーム３７とによる挟み込みでも良い。
【００５３】
マイク保持フレーム３７にはマイク実装面３７ａにマイク実装部３７ｃが設けられており、マイク実装部３７ｃの奥にはマイク設置面３７ｄが設けてあり、マイク受音孔３７ｅがマイク設置面３７ｄからフロント筐体３１の側面３１ｆと向かい合った側面３７ｆに開けられており、フレーム側面３７ｆにマイク受音孔入口３７ｇが設けられている。
【００５４】
図１０は、図７（ｂ）のＣ−Ｃ断面分解斜視図である。図１０を参照すると、フロント筐体３１とリア筐体３２との間にプリント基板３５が設けられている。また、フロント筐体３１にマイク保持フレーム３７が設けられ、マイク保持フレーム３７にマイク３４が実装されている。また、プリント基板３５にはインターフェースコネクタ３６が設けられ、その前面にインターフェースカバー３３が設けられている。
【００５５】
図１１は、図７（ｂ）のＣ−Ｃ断面図である。図１１を参照すると、ヒンジ部４９を介して操作部側筐体３０と表示部側筐体４０とが折り畳まれている。
【００５６】
操作部側筐体３０のフロント筐体３１に据え付けられたマイク保持フレーム３７のマイク実装部３７ｃにはマイク３４が実装され、その後にプリント基板３５がフロント筐体３１に実装され、マイク３４はマイク保持フレーム３７、内蔵アンテナ３８を介しフロント筐体３１とプリント基板３５とに挟み込まれ、マイク保持フレーム３７のマイク実装部３７ｃの奥のマイク設置面３７ｄに密着する。
【００５７】
通話時の受話音は、インターフェースカバー３３の開口部３３ａの奥に設けてあるマイク保持フレーム３７のマイク受音孔入り口３７ｇから入り、フロント筐体３１の側面３１ｆと向かい合った側面３７ｆとマイク設置面３７ｄとを結ぶように曲げられたマイク受音孔３７ｅを通りマイク３４に達する。なお、プリント基板３５およびプリント基板４３は、それぞれの筐体内で確実に固定されている。
【００５８】
表示部側筐体４０は、フロント筐体４１とリア筐体４２で構成されており、表示部側筐体４０のフロント筐体４１の表示面４１ａには、レシーバ発音孔４１ｂが設けられている。レシーバ４４は、表示部筐体４０内で、フロント筐体４１とプリント基板４３とに挟み込まれ、フロント筐体内側面と密着している。携帯電話機を折り畳んだ状態で、表示部側筐体４０のフロント筐体４１に設けられたレシーバ発音孔４１ｂの対面に当たる操作部側筐体３０の面には、マイク受音孔は無い。
【００５９】
図１２は、図７（ｂ）のＤ−Ｄ断面図である。図１２を参照すると、操作部側筐体３０が表示されている。マイク保持フレーム３７はマイク保持フレーム３７の段差面３７ｂにフロント筐体３１の保持爪３１ｊを左右共に引掛け係止する。フロント筐体３１の保持爪３１ｊが構成できない場合は、他の固定方法（例えば、接着固定）でも良い。
【００６０】
操作部側筐体３０は、フロント筐体３１とリア筐体３２がフロント筐体３１のネジボス３１ｈとリア筐体３２のネジ受け部３２ｂで図示しないネジにより締結している。本実施例では、ネジ締結としているが、嵌合爪等による他の固定方法でも良い。マイク３４は、受音孔面はマイク保持フレーム３７、内蔵アンテナ３８を介しフロント筐体３１と、端子接触面はプリント基板３５とプリント基板３５に搭載されているインターフェースコネクタ３６およびリア筐体３２のインターフェース押えリブ３２ｃを介してリア筐体３２とで挟み込まれている。
【００６１】
以上説明したように、本発明の第２実施例によれば、マイク実装部を筐体とは別にマイク保持フレームを設置し、マイク受音孔を側面にすることで、筐体とマイク保持フレームとの間に内蔵アンテナ等の別機能部品を実装することが可能となる。
【００６２】
また、マイク実装部にマイク保持フレームを設置しマイク受音孔を側面にすることで、筐体からのマイク実装リブが削減され、上記内蔵アンテナ等の形状がシンプル、かつ、強度を向上させることが可能となる。
【００６３】
さらに、マイク実装部にマイク保持フレームを設置しマイク受音孔を側面にすることで、筐体からのマイク実装リブが削減され、広範囲の実装面が確保されるため、組立を容易にすることが可能となる。
【図面の簡単な説明】
【００６４】
【図１】本発明に係る折り畳み型携帯電話機の操作部側筐体の第１実施例の斜視図である。
【図２】図１（ｂ）に示す操作部側筐体１０の分解斜視図である。
【図３】図１（ｂ）のＡ−Ａ断面分解斜視図である。
【図４】図１（ｂ）のＡ−Ａ断面分解斜視図である。
【図５】図１（ｂ）のＡ−Ａ断面図である。
【図６】図１（ｂ）のＢ−Ｂ断面図である。
【図７】本発明に係る折り畳み型携帯電話機の操作部側筐体の第２実施例の斜視図である。
【図８】図７（ｂ）に示す操作部側筐体３０の分解斜視図である。
【図９】図７（ｂ）のＣ−Ｃ断面分解斜視図である。
【図１０】図７（ｂ）のＣ−Ｃ断面分解斜視図である。
【図１１】図７（ｂ）のＣ−Ｃ断面図である。
【図１２】図７（ｂ）のＤ−Ｄ断面図である。
【図１３】従来の折り畳み型携帯電話機の一例の部分断面図である。
【図１４】従来の操作部側筐体の分解斜視図である。
【符号の説明】
【００６５】
１０  操作部側筐体
１１  フロント筐体
１１ｃ  マイク実装部
１１ｄ  マイク設置面
１１ｅ  マイク受音孔
１１ｄ  マイク設置面
１１ｈ  ネジボス
１１ｇ  マイク受音孔入口
１２  リア筐体
１２ｂ  ネジ受け部
１２ｃ  インターフェース押えリブ
１３  インターフェースカバー
１３ａ  開口部
１４  マイク
１５  プリント基板
１６  インターフェースコネクタ
１７  ヒンジ部
２０  表示部側筐体
２１  フロント筐体
２１ａ  表示面
２１ｂ  レシーバ発音孔
２３  プリント基板
２４  レシーバ
３０  操作部側筐体
３１  フロント筐体
３１ｆ  側面
３１ｈ  ネジボス
３１ｊ  保持爪
３１ｋ  リブ
３２  リア筐体
３２ｂ  ネジ受け部
３２ｃ  インターフェース押えリブ
３３  インターフェースカバー
３３ａ  開口部
３４  マイク
３５  プリント基板
３６  インターフェースコネクタ
３７  マイク保持フレーム
３７ａ  マイク実装面
３７ｂ  段差面
３７ｃ  マイク実装部
３７ｄ  マイク設置面
３７ｅ  マイク受音孔
３７ｇ  マイク受音孔入口
３８  内蔵アンテナ
４０  表示部側筐体
４１  フロント筐体
４１ａ  表示面
４１ｂ  レシーバ発音孔
４３  プリント基板
４４  レシーバ
４９  ヒンジ部
【図１】
2007194757.tif 000003
【図２】
2007194757.tif 000004
【図３】
2007194757.tif 000005
【図４】
2007194757.tif 000006
【図５】
2007194757.tif 000007
【図６】
2007194757.tif 000008
【図７】
2007194757.tif 000009
【図８】
2007194757.tif 000010
【図９】
2007194757.tif 000011
【図１０】
2007194757.tif 000012
【図１１】
2007194757.tif 000013
【図１２】
2007194757.tif 000014
【図１３】
2007194757.tif 000015
【図１４】
2007194757.tif 000016